(57)【要約】【課題】デジタルテレビジョン放送の受信装置が、受信可能な放送局が異なる放送エリアを跨った移動をした場合において、移動後の放送エリアにおける視聴可能までの時間を短縮する。【解決手段】ターゲット鍵供給システム２００において、ターゲット鍵収集装置２１０は、各放送局の最新のターゲット鍵（ワーク鍵またはデバイス鍵）を収集する。ターゲット鍵配信装置２５０は、ターゲット鍵収集装置２１０により収集した各放送局の最新のターゲット鍵を、放送ネットワークとは異なる通信ネットワーク１９０を介して、少なくとも、該放送局の受信可能エリア外に位置する受信装置に配信する。受信装置１〜９は、ターゲット鍵配信装置２５０から受信したターゲット鍵が自身の保持しているターゲット鍵より新しいときに、ターゲット鍵配信装置２５０から受信したターゲット鍵で自身の保持しているターゲット鍵を更新する。【選択図】図１
2014225738.tif 000002
【特許請求の範囲】
【請求項１】
複数の放送局と、
複数の放送受信装置と、
ワーク鍵とデバイス鍵のいずれか一方であるターゲット鍵を供給するターゲット鍵供給システムとを備え、
前記放送局は、前記ターゲット鍵を設定するためのターゲット鍵設定ＥＭＭ（Ｅｎｔｉｔｌｅｍｅｎｔ  Ｍａｎａｇｅｍｅｎｔ  Ｍｅｓｓａｇｅ）を放送信号に含めて送信することにより、自局の放送信号を受信している前記放送受信装置に対して、自局のターゲット鍵を更新可能であり、
前記ターゲット鍵供給システムは、
各前記放送局の最新のターゲット鍵を収集するターゲット鍵収集装置と、
前記ターゲット鍵収集装置により収集した各前記放送局の最新のターゲット鍵を、放送ネットワークとは異なる通信ネットワークを介して、少なくとも、該放送局の受信可能エリア外に位置する放送受信装置に配信するターゲット鍵配信装置とを備え、
前記複数の放送受信装置は、
前記ターゲット鍵配信装置から受信したターゲット鍵が自身の保持しているターゲット鍵より新しいときに、前記ターゲット鍵配信装置から受信したターゲット鍵で自身の保持しているターゲット鍵を更新する、
複合システム。
【請求項２】
前記ターゲット鍵配信装置は、
各前記放送局について、前記ターゲット鍵収集装置により該放送局の最新のターゲット鍵を取得した度に、該最新のターゲット鍵を配信する、
請求項１に記載の複合システム。
【請求項３】
前記ターゲット鍵配信装置は、
前記通信ネットワークを介して前記放送受信装置からリクエストを受信したときに、該放送受信装置に最新のターゲット鍵の配信をする、
請求項１または２に記載の複合システム。
【請求項４】
前記ターゲット鍵配信装置は、
各前記放送受信装置に対して、受信可能な放送局が夫々異なる複数の放送エリアのうちに、前記放送受信装置が現在位置する放送エリアと隣接する各放送エリアに夫々対応する放送局の最新のターゲット鍵のみを配信する、
請求項１から３のいずれか１項に記載の複合システム。
【請求項５】
前記ターゲット鍵収集装置は、
各前記放送局の放送信号を夫々受信する複数の放送受信部を有し、
夫々の前記放送受信部により受信した放送信号に含まれる前記ターゲット鍵設定ＥＭＭから該放送局の最新のターゲット鍵を取得する、
請求項１から４に記載の複合システム。
【請求項６】
各前記放送受信装置は、
受信中の放送局の放送信号における前記ターゲット鍵設定ＥＭＭから該放送局のターゲット鍵の更新を検出したときに、前記通信ネットワークを介して、該放送局の最新のターゲット鍵を前記ターゲット鍵収集装置に送信し、
前記ターゲット鍵収集装置は、夫々の前記放送受信装置から受信した情報に基づいて当該放送局の最新のターゲット鍵を取得する、
請求項１から４に記載の複合システム。
【請求項７】
夫々の放送局が、ワーク鍵とデバイス鍵のいずれか一方であるターゲット鍵を設定するためのターゲット鍵設定ＥＭＭ（Ｅｎｔｉｔｌｅｍｅｎｔ  Ｍａｎａｇｅｍｅｎｔ  Ｍｅｓｓａｇｅ）を放送信号に含めて送信することにより、自局の放送信号を受信している放送受信装置に対して自局のターゲット鍵を更新可能なデジタルテレビジョン放送システムにおける各前記放送局の最新のターゲット鍵を収集するターゲット鍵収集装置と、
前記ターゲット鍵収集装置により収集した各前記放送局の最新のターゲット鍵を、放送ネットワークとは異なる通信ネットワークを介して、少なくとも、該放送局の受信可能エリア外に位置する放送受信装置に配信するターゲット鍵配信装置とを備える、
ターゲット鍵供給システム。
【請求項８】
前記ターゲット鍵配信装置は、
各前記放送局について、前記ターゲット鍵収集装置により該放送局の最新のターゲット鍵を取得した度に、該最新のターゲット鍵を配信する、
請求項７に記載のターゲット鍵供給システム。
【請求項９】
前記ターゲット鍵配信装置は、
前記放送受信装置からリクエストを受信したときに、該放送受信装置に最新のターゲット鍵の配信をする、
請求項７または８に記載のターゲット鍵供給システム。
【請求項１０】
前記ターゲット鍵配信装置は、
各前記放送受信装置に対して、受信可能な放送局が夫々異なる複数の放送エリアのうちに、前記放送受信装置が現在位置する放送エリアと隣接する各放送エリアに夫々対応する放送局の最新のターゲット鍵を配信する、
請求項７から９のいずれか１項に記載のターゲット鍵供給システム。
【請求項１１】
前記ターゲット鍵収集装置は、
各前記放送局の放送信号を夫々受信する複数の放送受信部を有し、
夫々の前記放送受信部により受信した放送信号に含まれる前記ターゲット鍵設定ＥＭＭから該放送局の最新のターゲット鍵を取得する、
請求項７から１０に記載のターゲット鍵供給システム。
【請求項１２】
前記ターゲット鍵収集装置は、
受信中の放送局の放送信号における前記ターゲット鍵設定ＥＭＭから該放送局のターゲット鍵の更新を検出したときに、前記通信ネットワークを介して、該放送局の最新のターゲット鍵を前記ターゲット鍵収集装置に送信する夫々の前記放送受信装置から受信した情報に基づいて当該放送局の最新のターゲット鍵を取得する、
請求項７から１０に記載のターゲット鍵供給システム。
【請求項１３】
夫々の放送局が、ターゲット鍵設定ＥＭＭ（Ｅｎｔｉｔｌｅｍｅｎｔ  Ｍａｎａｇｅｍｅｎｔ  Ｍｅｓｓａｇｅ）を放送信号に含めて送信することにより、自局の放送信号を受信している放送受信装置に対して自局のターゲット鍵を更新可能なデジタルテレビジョン放送システムにおける放送受信装置であって、
各前記放送局の最新のターゲット鍵を収集すると共に、放送ネットワークとは異なる通信ネットワークを介して、少なくとも、該放送局の受信可能エリア外に位置する放送受信装置に配信するターゲット鍵供給システムから配信される前記ターゲット鍵を受信するターゲット鍵受信部と、
前記ターゲット鍵供給システムから受信したターゲット鍵が自身の保持しているターゲット鍵より新しいときに、前記ターゲット鍵供給システムから受信したターゲット鍵で自身の保持しているターゲット鍵を更新するターゲット鍵保持部とを備える、
放送受信装置。
【請求項１４】
受信中の放送局の放送信号における前記ターゲット鍵設定ＥＭＭから該放送局のターゲット鍵の更新を検出したときに、前記通信ネットワークを介して、該放送局の最新のターゲット鍵を前記ターゲット鍵供給システムに送信するターゲット鍵報告部をさらに備える、
請求項１３に記載の放送受信装置。
【請求項１５】
電源オンするときと、受信可能な放送局が異なる放送エリアを跨った移動をしたときのいずれか一方または両方において、前記通信ネットワークを介して、最新のターゲット鍵を要求するリクエストを前記ターゲット鍵供給システムに送信するターゲット鍵リクエスト部をさらに備える、
請求項１３または１４に記載の放送受信装置。
【請求項１６】
前記ターゲット鍵リクエスト部は、
現在位置を示す情報を前記リクエストに含めて前記ターゲット鍵供給システムに送信する、
請求項１５に記載の放送受信装置。
【請求項１７】
前記ターゲット鍵リクエスト部は、
前記リクエストとして、受信可能な放送局が夫々異なる複数の放送エリアのうちに、現在に位置する放送エリアと隣接する各放送エリアに夫々対応する放送局の最新のターゲット鍵のみを前記ターゲット鍵供給システムに要求する、
請求項１５に記載の放送受信装置。
【請求項１８】
受信可能な放送局が異なる放送エリア毎に、選局用のリモートコントローラの数字キーに含まれる数字またはこれらの数字の組合せにより示されるリモートコントローラキーＩＤと、受信可能な放送局に対応する物理チャンネルとを対応付けて記憶しており、
現在に位置する放送エリアに応じて、選択されたリモートコントローラキーＩＤに対応する物理チャンネルを選択する、
請求項１３〜１７のいずれか１項に記載の放送受信装置。
【発明の詳細な説明】
【技術分野】
【０００１】
本発明は、デジタルテレビジョン放送に関し、特にＲＭＰ（Ｒｉｇｈｔｓ  Ｍａｎａｇｅｍｅｎｔ  ａｎｄ  Ｐｒｏｔｅｃｔｉｏｎ：著作権管理および保護）方式のデジタルテレビジョン放送に関する。
【背景技術】
【０００２】
現在、日本において、デジタルテレビジョン放送のコンテンツ保護方式として、Ｂ−ＣＡＳやＣ−ＣＡＳなどの限定受信方式（以下「ＣＡＳ方式」ともいう）が用いられている。ＣＡＳ方式では、ＥＳ（Ｅｌｅｍｅｎｔａｒｙ  Ｓｔｒｅａｍ）を復号してコンテンツを表示するために、受信装置に挿入されたＣＡＳカードに記憶されたマスタ鍵Ｋｍ、ワーク鍵Ｋｗ、スクランブル鍵Ｋｓの３つの鍵が必要である。受信装置は、マスタ鍵Ｋｍを用いて、放送信号に含まれるワーク鍵設定ＥＭＭ（Ｅｎｔｉｔｌｅｍｅｎｔ  Ｍａｎａｇｅｍｅｎｔ  Ｍｅｓｓａｇｅ）をデコードしてワーク鍵Ｋｗを得た後、該ワーク鍵Ｋｗを用いて、放送信号に含まれるＥＣＭ（Ｅｎｔｉｔｌｅｍｅｎｔ  Ｃｏｎｔｒｏｌ  Ｍｅｓｓａｇｅ）をデコードしてスクランブル鍵Ｋｓを取得する。そして、スクランブル鍵Ｋｓを用いてＥＳを復号してコンテンツを表示する。
【０００３】
受信装置は、スクランブル鍵Ｋｓを取得するまでに、ＰＡＴ（Ｐｒｏｇｒａｍ  Ａｓｓｏｃｉａｔｉｏｎ  Ｔａｂｌｅ）、ＣＡＴ（Ｃｏｎｄｉｔｏｎａｌ  Ａｃｃｅｓｓ  Ｔａｂｌｅ）、ＥＭＭ、ＥＣＭなどのメッセージを夫々含むＴＳ（Ｔｒａｎｓｐｏｒｔ  Ｓｔｒｅａｍ）の抽出作業が必要であり、チャンネル切替時に、切替後のチャンネルのコンテンツを表示できるまでに時間がかかるという問題がある。
【０００４】
特許文献１に開示された技術は、ＬＡＮ（Ｌｏｃａｌ  Ａｒｅａ  Ｎｅｔｗｏｒｋ）によりデジタルテレビジョン放送の２つの受信装置が接続された家庭内視聴環境において、チャンネル切替時のコンテンツの表示開始までの時間を短縮するためのものである。具体的には、片方の受信装置（受信装置Ａとする）は、ＬＡＮを介して、視聴中のチャンネル（チャンネル１とする）の放送信号に含まれるＥＭＭとＥＣＭを他方の受信装置（受信装置Ｂとする）に送信する。これにより、受信装置Ｂは、チャンネル１以外のチャンネルの視聴中においても、チャンネル１のＥＭＭとＥＣＭを取得することができ、選局されたチャンネルが現在のチャンネルからチャンネル１に切り替わっても、すぐにＥＳの復号を開始することができる。
【０００５】
また、特許文献２に開示された技術では、放送局は、放送系ネットワークを介して、ＥＭＭや映像コンテンツ等を含む放送信号を受信装置に送信すると共に、ＩＰネットワーク等の、放送系ネットワークとは異なる通信系ネットワークを介してＥＭＭを受信装置に送信する。この技術によれば、受信装置は、ＥＭＭを送信している放送局が選局されていなくても、通信ネットワークを介して該放送局のＥＭＭを取得することができる。
【０００６】
現在運用されているＣＡＳ方式はＢ−ＣＡＳカードを使って実現している。しかし、コスト削減や、携帯電話・カーナビなどの様々な機器で視聴するためにソフトウェアで実現できるコンテンツ保護機能に対する要望が高まっていた。そこで、電波産業会によりＲＭＰ方式が定められ（非特許文献１）、既に運用が開始されている。ＲＭＰ方式の具体的な運用指針も、非特許文献２に規定されている。なお、従来の限定受信方式と明示的に区別するために、ＲＭＰ方式は、「新ＲＭＰ方式」と呼ばれる場合もある。
【０００７】
ＲＭＰ方式では、ＥＳ（Ｅｌｅｍｅｎｔａｒｙ  Ｓｔｒｅａｍ）を復号してコンテンツを表示するために、ＣＡＳ方式におけるマスタ鍵Ｋｍに対応するデバイス鍵Ｋｄ、ワーク鍵Ｋｗ、スクランブル鍵Ｋｓの３つの鍵が必要である。受信装置は、デバイス鍵Ｋｄを用いて、放送信号に含まれるワーク鍵設定ＥＭＭをデコードしてワーク鍵Ｋｗを得た後、該ワーク鍵Ｋｗを用いて、ＥＣＭをデコードしてスクランブル鍵Ｋｓを取得する。そして、スクランブル鍵Ｋｓを用いてＥＳを復号してコンテンツを表示する。
【０００８】
ＲＭＰ方式では、ワーク鍵Ｋｗは、放送局毎に異なってもよいとされている。また、不正な受信装置を排除（リボーク）する措置としてのリボケーションにより、ワーク鍵Ｋｗが変更可能である。リボケーションに際して、放送局は、新しいワーク鍵Ｋｗを含むワーク鍵設定ＥＭＭを所定の周期で送信し、受信装置は、受信したワーク鍵設定ＥＭＭに含まれる新しいワーク鍵Ｋｗで自身の保持するワーク鍵Ｋｗを更新する。
【０００９】
ある放送局の放送の視聴中にリボケーションが発生した場合、該受信装置は視聴中の放送局のワーク鍵Ｋｗの更新ができるため、視聴不可能な期間が発生しない。一方、リボケーションの発生後にチャンネル選択の変更により視聴する放送局が変わった場合、変更後の放送局に対応する新しいワーク鍵Ｋｗを取得するまで、現運用では最大で約３０秒の期間がかかり、この期間内においては、視聴が不可能になってしまう。
【００１０】
ＲＭＰ方式はワーク鍵Ｋｗの更新だけでなく、デバイス鍵Ｋｄを更新する仕組みも備える。これは、ハッキングなどの不可抗力によりデバイス鍵Ｋｄが漏洩した場合に対応するためである。デバイス鍵Ｋｄの更新処理もワーク鍵Ｋｗ更新と同様、ＥＭＭに更新用の情報を格納して対象デバイスに送信する。ワーク鍵Ｋｗはデバイス鍵Ｋｄで暗号化されているため、デバイス鍵Ｋｄが更新されると新しいワーク鍵Ｋｗが放送波で送付される。このとき、ワーク鍵Ｋｗのリボケーションと同じ状況となり、デバイス鍵Ｋｄの更新及び新しいワーク鍵Ｋｗを取得する期間は視聴不可となる。
【００１１】
特許文献３には、この視聴不可能期間を短縮するための技術が開示されている。該技術を適用した受信装置は、２つのチューナを搭載し、該２つのチューナのうちの１つを視聴用に使用し、該視聴用のチューナが受信している放送波に関するワーク鍵Ｋｗの更新があった場合に、他方のチューナに別の放送局の放送波の受信を行わせることにより、視聴中の放送局以外の放送局の新しいワーク鍵Ｋｗの取得を可能にしている。
【先行技術文献】
【特許文献】
【００１２】
【特許文献１】特開２００７−１２９５７５号公報
【特許文献２】特開２０１１−４０２３号公報
【特許文献３】特開２０１０−８１１１３号公報
【非特許文献】
【００１３】
【非特許文献１】社団法人電波産業会，標準規格「デジタル放送におけるアクセス制御方式」ＡＲＩＢ  ＳＴＤ−Ｂ２５  Ｖｅｒ．６．２，第３部
【非特許文献２】社団法人電波産業会，技術資料「地上デジタルテレビジョン放送運用規定」ＡＲＩＢ  ＴＲ−Ｂ１４  ５．０版（第３分冊），第五編
【発明の概要】
【発明が解決しようとする課題】
【００１４】
ところが、近年、車載ナビゲーションシステムや、携帯端末などもデジタルテレビジョン放送の受信機能を搭載し、移動しながらデジタルテレビジョン放送を視聴することが行われている。
【００１５】
受信装置が位置するエリアによって、受信可能な放送局が異なる。以下において、受信可能な放送局が異なる夫々のエリアを「放送エリア」という。なお、放送エリア間には、受信可能な全ての放送局が異なるとは限らず、受信可能な一部の放送局のみが異なる場合もある。
【００１６】
近年のデジタル放送視聴機器では、放送局を選局する際にリモートコントローラ（以下「リモコン」という）を利用する。通常、リモコンには１２個の数字キーがあり、それを押下することで特定の放送局に選局できる。このリモコン上の数字と放送局とを対応付けたものをリモコンキーＩＤと呼び、例えばＮＨＫならば多くの地域で「チャンネル１」に割り当てられている。また、実際に放送波を受信するためには、放送局が送信する電波の周波数に合わせる必要がある。放送波に利用する電波は特定の周波数帯域を一つの単位として定義されており、これを物理チャンネルという。通常、利用者が目にするのはリモコンキーＩＤの番号であり、物理チャンネルは意識しない。一方で電波には到達可能範囲があるため、地域ごとに物理チャンネルが異なっている。このため、リモコンキーＩＤと物理チャンネルの対応関係は、地域毎に異なっている。以下では、ユーザが認識している「チャンネル」、すなわち画面に表示されるチャンネル番号をリモコンキーＩＤ番号と記載する。
【００１７】
例えば、ある放送エリアであるＡ県に位置する場合は、受信可能な放送局は、放送局Ａ１、Ｂ、Ｃであり、別の放送エリアである、Ａ県に隣接するＢ県では、受信可能な放送局は、放送局Ａ２、Ｂ、Ｃ、Ｄであるとする。本明細書において、放送局について、英文字の「Ａ」、「Ｂ」、「Ｃ」、「Ｄ」などは、同一の放送エリアにおいて、異なるリモコンキーＩＤ番号に夫々対応する放送局を意味する。また、英文字が同一であり、英文字の後の数字が異なる２つの放送局については、放送するコンテンツが同一であるが、異なる放送エリア間で、物理チャンネル番号が異なりうる放送局を意味する。上述の通り、リモコンキーＩＤ番号は、受信装置において選局する際に指定される番号であり、物理チャンネル番号は放送エリア毎に、周波数と１対１の関係を有する。
【００１８】
例えば、Ａ県において、リモコンキーＩＤ１、２、３は、放送局Ａ１、Ｂ、Ｃに夫々対応し、Ｂ県において、リモコンキーＩＤ１、２、３、４は、放送局Ａ２、Ｂ、Ｃ、Ｄに夫々対応しているとする。また、放送局Ｂは、Ａ県とＢ県において同一の物理チャンネルを利用しており、Ａ県における放送局Ａ１の物理チャンネルは、県Ｂにおいては放送局Ｃに利用されているとする。
【００１９】
ここで、Ａ県においてリモコンキーＩＤ番号２に割り振られた放送局Ｂの放送を視聴しているユーザ（受信装置を含む）が、Ｂ県に移動した場合を考える。Ａ県とＢ県において、放送局Ｂに割り当てられたリモコンキーＩＤが共に２であり、物理チャンネルも変わらないため、この場合、Ｂ県に移動した後も、該ユーザは放送局Ｂのコンテンツを引き続き視聴することができる
【００２０】
これに対し、Ａ県においてリモコンキーＩＤ番号１に割り振られた放送局Ａ１の放送を視聴しているユーザ（受信装置を含む）がＢ県に移動した場合を考える。この場合、Ａ県において放送局Ａ１に利用されている物理チャンネルがＢ県では放送局Ｃに利用されているため、受信装置側に自動切換え機能がない場合は、移動後に、放送局Ｃのコンテンツが表示される状態になる。該ユーザが放送局Ａ１のコンテンツを引き続き視聴するために、放送局Ａ１と同様のコンテンツを放送している放送局Ａ２に対応するリモコンキーＩＤ１のボタンを押下して対応する物理チャンネルを選択し直す。しかし、このとき、受信装置に放送局Ａ２のワーク鍵Ｋｗが蓄積されていないと、放送局Ａ２の放送を直ちに視聴することができない。
【００２１】
また、Ａ県に居住しているユーザの受信装置は、Ａ県の受信可能な放送局Ａ１、Ｂ、Ｃのワーク鍵Ｋｗを蓄積している可能性があるが、初めてユーザとと共にＢ県に移動した場合に、Ｂ県の受信可能な放送局のうちの、放送局Ａ２、Ｄのワーク鍵Ｋｗを蓄積していない。そのため、Ｂ県に移動した後に、初めて放送局Ａ２または放送局Ｄを選局した際に、視聴できるまで時間がかかってしまう。
【００２２】
特許文献１の手法は、２つの受信装置が、同じ家庭内に配置されているなど同じ放送エリアに位置する場合において片方の受信装置のチャンネル切替時のコンテンツの表示開始までの時間を短縮することができるが、受信装置の移動による放送エリアの変更に起因する上述の問題を解決することができない。
【００２３】
特許文献２の手法は、受信装置が位置する放送エリアにおいて、受信装置により選局されていないチャンネルのワーク鍵Ｋｗを受信装置に蓄積させるためのものであり、特許文献１の手法と同様に、受信装置の移動による放送エリアの変更に起因する上述の問題を解決することができない。また、該手法では、放送局が放送ネットワークを介して放送信号を送信すると共に、通信ネットワークを介してＥＭＭを送信する必要があるため、放送局の負担が大きいという問題がある。
【００２４】
また、特許文献３の手法についても同様である。さらに、特許文献３に開示されている受信装置は、対応するチャンネルの数の分のチューナを備える必要があり、受信装置の装置規模が大きくなる別の問題がある。
【００２５】
また、ＲＭＰ方式ではワーク鍵Ｋｗのみならず、デバイス鍵Ｋｄが更新されることもある。以上においてワーク鍵Ｋｗについて説明したが、デバイス鍵Ｋｄについても、同様の問題がある。
【００２６】
その他の課題と新規な特徴は、本明細書の記述および添付図面から明らかになるであろう。
【課題を解決するための手段】
【００２７】
一実施の形態は、デジタルテレビジョン放送のワーク鍵またはデバイス鍵のいずれか一方であるターゲット鍵の供給システムである。該ターゲット鍵供給システムは、ターゲット鍵収集装置と、ターゲット鍵配信装置を備える。
【００２８】
ターゲット鍵収集装置は、各放送局の最新のターゲット鍵を収集する。
ターゲット鍵配信装置は、ターゲット鍵収集装置により収集した各放送局の最新のターゲット鍵を、放送ネットワークとは異なる通信ネットワークを介して、少なくとも、該放送局の受信可能エリア外に位置する放送受信装置に配信する。
【００２９】
なお、上記実施の形態のターゲット鍵供給システムを方法や装置に置き換えて表現したもの、該ターゲット鍵供給システムによる処理または該処理の一部をコンピュータに実行せしめるプログラム、該ターゲット鍵供給システムに対応する受信装置、各放送局と受信装置及び該ターゲット鍵供給システムを備えた複合システムなども、実施の態様としては有効である。
【発明の効果】
【００３０】
前記一実施の形態によれば、デジタルテレビジョン放送の受信装置が、受信可能な放送局が異なる放送エリアを跨った移動をした場合において、移動後の放送エリアにおける視聴可能までの時間を短縮できる。
【図面の簡単な説明】
【００３１】
【図１】第１の実施の形態にかかる複合システムを示す図である。
【図２】図１に示す複合システムにおけるターゲット鍵供給システムのターゲット鍵収集装置の構成例を示す図である。
【図３】ＲＭＰ方式におけるワーク鍵設定ＥＭＭの構成を示す図である。
【図４】図１に示すにおけるターゲット鍵供給システムのターゲット鍵配信装置の保持内容の例を示す図である。
【図５】図１に示す複合システムにおけるデジタルテレビジョン放送の受信装置の構成例を示す図である。
【図６】第２の実施の形態にかかる複合システムにおける受信装置の構成例を示す図である。
【図７】第２の実施の形態にかかる複合システムにおけるターゲット鍵供給システムのターゲット鍵収集装置の構成例を示す図である。
【図８】第３の実施の形態にかかる複合システムにおける受信装置の移動に伴い、該受信装置に保持されたワーク鍵Ｋｗ関連情報の遷移態様を示す図である（その１）。
【図９】第３の実施の形態にかかる複合システムにおける受信装置の移動に伴い、該受信装置に保持されたワーク鍵Ｋｗ関連情報の遷移態様を示す図である（その２）。
【図１０】第３の実施の形態にかかる複合システムにおける受信装置の移動に伴い、該受信装置に保持されたワーク鍵Ｋｗ関連情報の遷移態様を示す図である（その３）。
【発明を実施するための形態】
【００３２】
説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００３３】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３４】
＜第１の実施の形態＞
図１は、第１の実施の形態における複合システム１００を示す。複合システム１００は、全国のデジタルデレビジョン放送システムに含まれる各放送局（放送局Ａ１、Ｂ、Ｃ、Ａ２、Ｄ、Ａ３、Ｅ、Ａ４、Ｆ）と、ターゲット鍵供給システム２００を備える。該国は、全土も亘り、地理位置によって複数の放送エリア（例として４つの放送エリア１１０、１２０、１３０、１４０）に分けられている。なお、本実施の形態におけるデジタルテレビジョン放送システムは、ＲＭＰ方式に準拠する。また、本実施の形態において、ターゲット鍵供給システム２００が供給するターゲット鍵は、例として、ワーク鍵である。
【００３５】
放送エリア１１０は、放送局Ａ１、Ｂ、Ｃの放送波を受信可能なエリアであり、放送エリア１２０は、放送局Ｃ、Ａ２、Ｄの放送波を受信可能なエリアである。また、放送エリア１３０は、放送局Ａ３、Ｆの放送波を受信可能なエリアであり、放送エリア１４０は、放送局Ａ４、Ｆの放送波を受信可能なエリアである。
【００３６】
図１に示すように、放送エリア１１０は、放送エリア１２０及び放送エリア１４０に隣接し、放送エリア１２０は、放送エリア１１０、放送エリア１３０、及び放送エリア１４０に隣接している。また、放送エリア１３０は、放送エリア１２０とのみ隣接しており、放送エリア１４０は、放送エリア１１０と放送エリア１２０に隣接している。
【００３７】
なお、図１は、例として、デジタルテレビジョン放送の受信装置１と２が放送エリア１１０に位置し、受信装置３と４が放送エリア１２０に位置し、受信装置５と６が放送エリア１３０に位置し、受信装置７と８が放送エリア１４０に位置する状態を示している。
【００３８】
本実施の形態において、各受信装置は、放送ネットワークとは異なる通信ネットワーク（例えばＩＰネットワーク）１９０に接続している。分かりやすいように、図１には、各受信装置と通信ネットワーク１９０との接続線を省略している。
【００３９】
ターゲット鍵供給システム２００は、ターゲット鍵収集装置２１０とターゲット鍵配信装置２５０を備える。
【００４０】
ターゲット鍵収集装置２１０は、各放送局の最新のターゲット鍵（ここではワーク鍵Ｋｗ）を収集する。ターゲット鍵配信装置２５０は、通信ネットワーク１９０に接続されており、ターゲット鍵収集装置２１０により収集した各放送局の最新のターゲット鍵（ワーク鍵Ｋｗ）を、通信ネットワーク１９０を介して配信する。
【００４１】
ターゲット鍵配信装置２５０の配信対象は、各放送局について、少なくとも、該放送局の受信可能なエリア外に位置する各受信装置を含む。
【００４２】
例えば、図１に示す状態において、放送局Ａ１の受信可能なエリア（放送エリア１１０）に位置する受信装置は、受信装置１と２である。この場合、ターゲット鍵配信装置２５０は、放送局Ａ１について、最新のワーク鍵Ｋｗを少なくとも受信装置３〜８に配信する。
【００４３】
また、図１に示す状態において、放送局Ｃの受信可能なエリア（放送エリア１１０と放送エリア１２０）に位置する受信装置は、受信装置１〜４である。この場合、ターゲット鍵配信装置２５０は、放送局Ｃについて、最新のワーク鍵Ｋｗを少なくとも受信装置５〜８に配信する。
【００４４】
なお、本実施の形態において、受信装置が位置する放送エリアに関わらず、各放送局について、最新のワーク鍵Ｋｗを全ての受信装置に配信する。
【００４５】
図２は、ターゲット鍵供給システム２００におけるターゲット鍵収集装置２１０の構成例を示す。図示のように、ターゲット鍵収集装置２１０は、各放送局に夫々対応する個別ターゲット鍵取得装置２１１〜２１９を備える。なお、これらの個別ターゲット鍵取得装置２１１〜２１９は、通信ネットワーク１９０と接続されているが、図２において、接続線を省略している。
【００４６】
各個別ターゲット鍵取得装置２１１〜２１９は、相対応する放送局の受信可能な放送エリアに設置されている。例えば、放送局Ａ１に対応する個別ターゲット鍵取得装置２１１は、放送エリア１１０に設けられており、放送局Ｃに対応する個別ターゲット鍵取得装置２１２は、放送エリア１１０と放送エリア１２０のいずれか一方に設けられている。
【００４７】
各個別ターゲット鍵取得装置２１１〜２１９は、夫々、放送受信部とターゲット鍵抽出部を備え、放送受信部は、自身が設けられた個別ターゲット鍵取得装置に対応する放送局の放送信号を受信し、ターゲット鍵抽出部は、同一の個別ターゲット鍵取得装置における放送受信部が受信した放送信号から、ターゲット鍵を設定するためのターゲット鍵設定ＥＭＭ（ここではワーク鍵設定ＥＭＭ）を抽出する。
【００４８】
例えば、個別ターゲット鍵取得装置２１１において、放送受信部２２１は、放送局Ａ１の放送信号を受信し、ターゲット鍵抽出部２３１は、放送受信部２２１が受信した放送局Ａ１の放送信号からワーク鍵設定ＥＭＭを抽出する。すなわち、各個別ターゲット鍵取得装置は、相対応する放送局の放送信号のみを受信する放送受信装置の、ワーク鍵設定ＥＭＭを抽出するまでの処理を行う機能を備える。
【００４９】
図３は、非特許文献１における表３−９であり、ＲＭＰ方式におけるワーク鍵設定ＥＭＭのセクション構成を示す。図中「固定部」に含まれる「更新番号」は、該ＥＭＭに含まれるワーク鍵Ｋｗの世代番号であり、「可変部」には、ワーク鍵Ｋｗが配置されている。なお、「更新番号」は、暗号化されておらず、ワーク鍵Ｋｗは、デバイス鍵Ｋｄにより暗号化されている。
【００５０】
個別ターゲット鍵取得装置２１１〜２１９の夫々のターゲット鍵抽出部は、稼働後初めて当該放送局のＥＭＭを取得した場合に、該ＥＭＭを保持する。その後、放送受信部によりワーク鍵設定ＥＭＭを受信する度に、現在受信したワーク鍵設定ＥＭＭ内の更新番号と、保持しているＥＭＭと比較し、比較の結果に応じて、保持しているＥＭＭを更新するか、現在受信したワーク鍵設定ＥＭＭを破棄する。
【００５１】
具体的には、ターゲット鍵抽出部は、現在受信したワーク鍵設定ＥＭＭ内の更新番号が、保持中のＥＭＭ内の更新番号と同一である場合には、現在受信したワーク鍵設定ＥＭＭを破棄する。
【００５２】
一方、現在受信したワーク鍵設定ＥＭＭ内の更新番号が、保持中のＥＭＭ内の更新番号より新しい世代を示す場合、あるいは更新番号が０ｘ００００または０ｘＦＦＦＦの場合には、ターゲット鍵抽出部は、保持中のＥＭＭを削除し、現在受信したワーク鍵設定ＥＭＭを保持する。さらに、この場合、ターゲット鍵抽出部は、新たに保持したワーク鍵設定ＥＭＭを、通信ネットワーク１９０（図２に示さず）を介して、ターゲット鍵配信装置２５０に送信する。
【００５３】
本実施の形態において、各ターゲット鍵抽出部は、ワーク鍵Ｋｗのデコードをせずに、ワーク鍵設定ＥＭＭをそのままターゲット鍵配信装置２５０に送信している。こうすることにより、各ターゲット鍵抽出部とターゲット鍵配信装置２５０の間、及び後述する、ターゲット鍵配信装置２５０と受信装置との間に、ワーク鍵Ｋｗが暗号化されたまま送受信されるので、セキュリティ性が高いという利点がある。もちろん、独自暗号を施した上で送受信してもよい。
【００５４】
なお、各ターゲット鍵抽出部が、さらに、デバイス鍵Ｋｄを保持し、抽出したワーク鍵設定ＥＭＭの暗号化部をデバイス鍵Ｋｄでデコードしてワーク鍵Ｋｗを取得するようにしてもよい。この場合、ターゲット鍵抽出部は、ワーク鍵設定ＥＭＭの代わりに更新番号とワーク鍵Ｋｗのみを保持し、ターゲット鍵配信装置２５０に送信する際にも、通信網の安全性が確保できているのであれば、更新番号とワーク鍵Ｋｗのみを送信するようにすればよい。
【００５５】
この場合、各ターゲット鍵抽出部とターゲット鍵配信装置２５０の間、及び後述する、ターゲット鍵配信装置２５０と受信装置との間に、ワーク鍵Ｋｗが暗号化されない状態で送受信されるが、ターゲット鍵配信装置２５０からワーク鍵Ｋｗを配信された受信装置は、ワーク鍵Ｋｗのデコード処理をしなくて済むので、スクランブル鍵Ｋｓ乃至コンテンツの復号を早く開始できるという利点がある。あるいは、独自暗号化した上でワーク鍵Ｋｗのみを配信してもよい。
【００５６】
図４は、ターゲット鍵配信装置２５０の保持内容の例を示す。図示の例では、ターゲット鍵配信装置２５０は、放送エリア毎に、リモコンキーＩＤ番号と、物理チャンネル番号と、放送局と、ワーク鍵設定ＥＭＭとを対応付けて保持している。
【００５７】
ターゲット鍵配信装置２５０は、各放送局に夫々対応する個別ターゲット鍵取得装置２１１〜２１９からワーク鍵設定ＥＭＭを受信する度に、当該放送局の保持中のワーク鍵設定ＥＭＭを、個別ターゲット鍵取得装置から受信したワーク鍵設定ＥＭＭで更新する。すなわち、ターゲット鍵配信装置２５０は、常に、全国の各放送局の最新のワーク鍵Ｋｗを含むワーク鍵設定ＥＭＭを保持している。
【００５８】
本実施の形態において、ターゲット鍵配信装置２５０によるワーク鍵Ｋｗ（ここでは、ワーク鍵Ｋｗを含むワーク鍵設定ＥＭＭ）の配信タイミングは、いずれかの個別ターゲット鍵取得装置からワーク鍵設定ＥＭＭを受信するときと、いずれかの受信装置から最新のワーク鍵Ｋｗを要求するリクエストを受信したときである。いずれかの個別ターゲット鍵取得装置からワーク鍵設定ＥＭＭを受信した場合に、ターゲット鍵配信装置２５０は、通信ネットワーク１９０を介して、該ワーク鍵設定ＥＭＭを全ての受信装置に配信し、いずれかの受信装置から上記リクエストを受信したときには、ターゲット鍵配信装置２５０は、該受信装置に、保持中の全ての放送局のワーク鍵設定ＥＭＭを配信する。これについて、受信装置１〜８と共にさらに詳細に説明する。
【００５９】
受信装置１〜８は、同様の構成を有するため、受信装置１を代表にして説明する。
図５に示すように、受信装置１は、放送信号受信部３０２、ターゲット鍵保持部３０４、コンテンツ復号部３０６、ターゲット鍵リクエスト部３１０、送受信部３２０を備える。これらの機能ブロックのうちに、放送信号受信部３０２、コンテンツ復号部３０６は、通常のＲＭＰ方式の放送受信装置に備えられたものと同様であり、ターゲット鍵保持部３０４は、通常のＲＭＰ方式の送信受信装置に備えられたものより多くの機能を有する。また、ターゲット鍵リクエスト部３１０と送受信部３２０は、通常のＲＭＰ方式の送信受信装置に備えられていないものである。
【００６０】
放送信号受信部３０２は、ユーザが図示しないリモートコントローラ等により選局された物理チャンネルに対応する放送局の放送信号を受信してターゲット鍵保持部３０４とコンテンツ復号部３０６に出力する。
【００６１】
ターゲット鍵保持部３０４は、各放送局のワーク鍵Ｋｗを保持しているが、これらのワーク鍵Ｋｗを保持する処理については、後述する。
【００６２】
ターゲット鍵保持部３０４は、放送信号受信部３０２が受信した放送信号からワーク鍵設定ＥＭＭを抽出して、当該放送局について、抽出したワーク鍵設定ＥＭＭに含まれる更新番号と、保持中の更新番号とを比較し、比較の結果に応じて、保持しているワーク鍵Ｋｗを更新するか否かを判断する。
【００６３】
具体的には、当該放送局について、放送信号受信部３０２が現在受信した放送信号から抽出したワーク鍵設定ＥＭＭに含まれる更新番号が、保持中の更新番号と同一である場合には、ターゲット鍵保持部３０４は、現在に抽出したワーク鍵設定ＥＭＭを破棄すると共に、保持中の該放送局のワーク鍵Ｋｗをコンテンツ復号部３０６に出力する。
【００６４】
一方、当該放送局について、放送信号受信部３０２が現在受信した放送信号から抽出したワーク鍵設定ＥＭＭに含まれる更新番号が、保持中のＥＭＭ内の更新番号より新しい世代を示す場合には、ターゲット鍵保持部３０４は、保持中の該放送局の更新番号とワーク鍵Ｋｗを削除する。さらに、ターゲット鍵保持部３０４は、デバイス鍵Ｋｄを用いて、現在に抽出したワーク鍵設定ＥＭＭの暗号化部をデコードしてワーク鍵Ｋｗを得、該ワーク鍵設定ＥＭＭに含まれる更新番号と、ワーク鍵Ｋｗとを新たに保持する。同時に、ターゲット鍵保持部３０４は、新たに取得したワーク鍵Ｋｗをコンテンツ復号部３０６に出力する。
【００６５】
コンテンツ復号部３０６は、ターゲット鍵保持部３０４からのワーク鍵Ｋｗを用いて、放送信号受信部３０２からの放送信号に含まれるＥＣＭをデコードしてスクランブル鍵Ｋｓを取得し、該スクランブル鍵Ｋｓを用いて放送信号に含まれるコンテンツを復号する。
【００６６】
送受信部３２０は、通信ネットワーク１９０に対応するネットワークインタフェースにより通信ネットワーク１９０と接続しており、通信ネットワーク１９０を介して、受信装置１とターゲット鍵配信装置２５０間で送受信を行う。
【００６７】
ターゲット鍵リクエスト部３１０は、受信装置１の電源がオンする度に、送受信部３２０乃至通信ネットワーク１９０を介して、最新のワーク鍵Ｋｗを要求するリクエストＲＥＱを、ターゲット鍵配信装置２５０に送信する。
【００６８】
前述したように、本実施の形態におけるターゲット鍵配信装置２５０は、いずれかの受信装置からリクエストＲＥＱを受信すると、保持中の全ての放送局のワーク鍵設定ＥＭＭを該受信装置に配信するようになっている。
【００６９】
送受信部３２０が受信した各ＥＭＭは、通信ネットワーク１９０乃至送受信部３２０を介してターゲット鍵保持部３０４に入力される。
【００７０】
ターゲット鍵保持部３０４は、ターゲット鍵配信装置２５０から配信された全ての放送局のワーク鍵設定ＥＭＭが入力されると、これらのワーク鍵設定ＥＭＭの暗号化部をデコードして夫々のワーク鍵Ｋｗを得て更新番号と共に保持する。
【００７１】
ターゲット鍵保持部３０４によるワーク鍵Ｋｗ関連の保持内容は、ＥＭＭの代わりに更新番号とデコードされたワーク鍵Ｋｗとを保持する点を除き、図４に示す、ターゲット鍵配信装置２５０による保持内容と同様である。
【００７２】
本実施の形態において、受信装置１は、電源がオンする度にターゲット鍵配信装置２５０から全ての放送局の最新のワーク鍵を含むワーク鍵設定ＥＭＭを配信されるため、ターゲット鍵保持部３０４は、受信装置１の電源がオフされたときに保持内容が消える揮発性メモリにより上記保持内容を保持してもよい。通信ネットワーク１９０に接続できない地域があることを考慮し、受信装置１が、受信装置１の電源がオフされても保持内容が消えない揮発性メモリにより上記保持内容を保持することが好ましい。
【００７３】
この場合、ターゲット鍵保持部３０４は、電源がオンした直後に、各放送局について、ターゲット鍵配信装置２５０から配信されたワーク鍵設定ＥＭＭに含まれる更新番号と、保持中の更新番号とを比較し、比較の結果に応じて、保持しているワーク鍵Ｋｗを更新するか、ターゲット鍵配信装置２５０から配信されたワーク鍵設定ＥＭＭを破棄する。
【００７４】
具体的には、ターゲット鍵保持部３０４は、当該放送局について、現在配信されたワーク鍵設定ＥＭＭ内の更新番号が、保持中の更新番号と同一である場合には、現在配信されたワーク鍵設定ＥＭＭを破棄する。
【００７５】
一方、当該放送局について、現在配信されたワーク鍵設定ＥＭＭ内の更新番号が、保持中のＥＭＭ内の更新番号より新しい世代を示す場合には、ターゲット鍵保持部３０４は、保持中の該放送局の更新番号とワーク鍵Ｋｗを削除する。さらに、ターゲット鍵保持部３０４は、現在配信されたワーク鍵設定ＥＭＭの暗号化部をデコードしてワーク鍵Ｋｗを得、該ワーク鍵設定ＥＭＭに含まれる更新番号と、ワーク鍵Ｋｗとを新たに保持する。
【００７６】
また、前述したように、受信装置の電源オン時のリクエストＲＥＱを受信したとき以外に、ターゲット鍵配信装置２５０は、いずれかの個別ターゲット鍵取得装置からワーク鍵設定ＥＭＭを受信した場合に、通信ネットワーク１９０を介して、該ワーク鍵設定ＥＭＭを全ての受信装置に配信する。このようにして配信されたワーク鍵設定ＥＭＭを受信した場合に、受信装置１のターゲット鍵保持部３０４は、該放送局について、ターゲット鍵配信装置２５０から配信されたワーク鍵設定ＥＭＭに含まれる更新番号と、保持中の更新番号とを比較し、比較の結果に応じて、保持しているワーク鍵Ｋｗを更新するか、ターゲット鍵配信装置２５０から配信されたワーク鍵設定ＥＭＭを破棄する。
【００７７】
このように、本実施の形態の複合システム１００において、ターゲット鍵供給システム２００は、放送ネットワークと異なる通信ネットワークを介して、各放送局について、最新のワーク鍵Ｋｗ（またはワーク鍵設定ＥＭＭ）を、該放送局の受信可能なエリア以外に位置する受信装置を含む全ての受信装置に配信する。そのため、各受信装置は、受信可能な放送局が異なる放送エリアを跨った移動をする前に、移動後の放送エリアにおける各受信可能な放送局のワーク鍵Ｋｗを保持できる可能性が高いため、放送エリアを跨った移動をした場合において、移動後の放送エリアにおける視聴可能までの時間を短縮することができる。
【００７８】
また、ターゲット鍵供給システム２００のターゲット鍵収集装置２１０は、各放送局に夫々対応する個別ターゲット鍵取得装置により、放送ネットワークを介して各放送局の最新のワーク鍵Ｋｗ（またはワーク鍵設定ＥＭＭ）を取得するため、各放送局に何ら負担をかけることが無い。
【００７９】
＜第２の実施の形態＞
第２の実施の形態も、第１の実施の形態と同種の複合システムである。該複合システムにおいて、受信装置及びターゲット鍵供給システムが複合システム１００における受信装置及びターゲット鍵供給システムと異なる点を除き、複合システム１００と同様である。そのため、該第２の実施の形態について、受信装置とターゲット鍵供給システムについてのみを説明する。なお、本実施の形態においても、例として、ターゲット鍵がワーク鍵であるとする。
【００８０】
図６は、第２の実施の形態にかかる複合システムにおける受信装置４００であり、複合システム１００における受信装置１〜９の代わりに設けられている。
【００８１】
受信装置４００は、放送信号受信部３０２、コンテンツ復号部３０６、ターゲット鍵報告部４２０、ターゲット鍵リクエスト部３１０、送受信部３２０を備える。
【００８２】
放送信号受信部３０２、コンテンツ復号部３０６、ターゲット鍵リクエスト部３１０、送受信部３２０は、図５に示す複合システム１００の各受信装置の相対応する機能ブロックと同様である。
【００８３】
ターゲット鍵保持部４１０は、複合システム１００の受信装置におけるターゲット鍵保持部３０４が行う各処理以外に、放送信号受信部３０２が現在に受信した放送信号から抽出したワーク鍵設定ＥＭＭに含まれる更新番号が、保持している該放送局の更新番号より新しい世代を示す場合に、さらに、該ワーク鍵設定ＥＭＭをターゲット鍵報告部４２０に出力する。
【００８４】
ターゲット鍵報告部４２０は、ターゲット鍵保持部４１０からワーク鍵設定ＥＭＭを受信すると、送受信部３２０乃至通信ネットワーク１９０を介して、該ワーク鍵設定ＥＭＭを後述する信するターゲット鍵供給システム５００に送信する。
【００８５】
図７は、本第２の実施の形態において、ターゲット鍵供給システム２００の代わりに設けられたターゲット鍵供給システム５００を示す。該ターゲット鍵供給システム５００は、送受信部５０２、ターゲット鍵収集装置５１０、ターゲット鍵配信装置２５０を備える。
【００８６】
送受信部５０２は、通信ネットワーク１９０を介して、ターゲット鍵収集装置５１０及びターゲット鍵配信装置２５０と、各受信装置４００との間の送受信を行う。
【００８７】
各受信装置４００がターゲット鍵供給システム５００に送信したワーク鍵設定ＥＭＭは、送受信部５０２によりターゲット鍵収集装置５１０に出力する。
【００８８】
ターゲット鍵収集装置５１０は、送受信部５０２からのワーク鍵設定ＥＭＭをターゲット鍵配信装置２５０に転送する。
【００８９】
ターゲット鍵配信装置２５０は、複合システム１００におけるターゲット鍵供給システム２００のターゲット鍵配信装置２５０と同様であり、ここで詳細な説明を省略する。
【００９０】
本実施の形態において、各受信装置４００は、受信中の放送局の放送信号に含まれるワーク鍵設定ＥＭＭから該放送局のワーク鍵Ｋｗの更新を検出したときに、通信ネットワーク１９０を介して、該放送局の最新のワーク鍵Ｋｗ（またはＥＭＭ）をターゲット鍵供給システム５００に送信するため、ターゲット鍵収集装置５１０は、通信ネットワーク１９０を介してこれらのワーク鍵Ｋｗ（またはＥＭＭ）を受信するだけで、各放送局のワーク鍵Ｋｗ（またはＥＭＭ）を取得することができる。そのため、複合システム１００におけるターゲット鍵供給システム２００のターゲット鍵収集装置２１０のように各放送局に夫々対応する複数個別ターゲット鍵取得装置を設ける必要が無い。従って、本第２の実施の形態にかかる複合システムによれば、簡単な装置構成で複合システム１００と同様の効果を得ることができる。
【００９１】
＜第３の実施の形態＞
上述した各実施の形態において、ターゲット鍵供給システムは、受信装置からリクエストＲＥＱを受信したときに、全ての放送局の最新のワーク鍵Ｋｗ（またはワーク鍵設定ＥＭＭ）を該受信装置に配信している。
【００９２】
例えば、ターゲット鍵供給システムが、リクエストＲＥＱを送信した受信装置の現在位置を取得し、該受信装置に対して、その現在位置が属する放送エリアと、該放送エリアに隣接する各放送エリアに夫々対応する放送局の最新のワーク鍵Ｋｗ（またはワーク鍵設定ＥＭＭ）のみを配信するようにすればよい。
【００９３】
互いに隣接する放送エリアが、地理的に隣接するため、受信装置は、現在の放送エリアから、隣接する各放送エリアのいずれも通さずに他の放送エリアに移動することができない。言い換えれば、受信装置が放送エリアを跨った移動をした場合に、移動前の放送エリアと移動後の放送エリアは、必ず互いに隣接する放送エリアである。そのため、リクエストＲＥＱに応じて該受信装置にワーク鍵Ｋｗを配信する際には、該受信装置の現在位置が属する放送エリアと隣接する各放送エリアに夫々対応する各放送局の最新のワーク鍵Ｋｗを配信すれば、該受信装置は、移動先になり得る別の放送エリアに移動する前に、これらの別の放送エリアに夫々対応する各放送局の最新のワーク鍵Ｋｗを保持しておくことができる。
【００９４】
この場合、放送エリアを跨った移動が連続して生じる場合に備え、ターゲット鍵供給システムは、継続的に受信装置の現在位置を監視し、該現在位置の属する放送エリアが変わる度に、新しい現在位置の属する放送エリアと、該放送エリアに隣接する各放送エリアに夫々対応する各放送局の最新のワーク鍵Ｋｗを配信することが好ましい。
【００９５】
または、各受信装置は、電源オン時に加え、放送エリアを跨った移動をしたときにも、通信ネットワークを介して、最新のワーク鍵を要求するリクエストをターゲット鍵供給システムに送信するようにしてもよい。こうすることにより、ターゲット鍵供給システムは、受信装置の現在位置を継続的に監視をする必要が無くなり、負担が軽減される。
【００９６】
さらに、各受信装置が、最新のワーク鍵を要求するリクエストを送信する際に、自身の現在位置を示す情報もリクエストに含めて送信するようにしてもよい。こうすることにより、ターゲット鍵供給システムの負担をより軽減することができる。
【００９７】
さらに、各受信装置が、最新のワーク鍵を要求するリクエストを送信する際に、自身の現在位置を示す情報の代わりに、現在位置の属する放送エリアと、該放送エリアに隣接する各放送エリアを示す情報をターゲット鍵供給システムに送信するようにしてもよい。この場合、ターゲット鍵供給システムは、リクエストにより要求された放送エリアに対応する各放送局のワーク鍵Ｋｗを配信すればよく、受信装置の現在位置の判定が不要になるため、負担が一層軽減される。
【００９８】
また、上述した各実施の形態において、ターゲット鍵供給システムは、ターゲット鍵収集装置によりいずれかの放送局の最新のワーク鍵Ｋｗを取得した度に、該最新のワーク鍵Ｋｗを全ての受信装置に配信しているが、例えば、該最新のワーク鍵Ｋｗの配信対象を、該放送局を受信可能な放送エリア及びそれに隣接する各放送エリアに位置する受信装置に限定して配信するようにしてもよい。
【００９９】
１つの具体例を説明する。
例えば、複合システム１００における受信装置１が車載ナビゲーションシステムに含まれており、該ユーザが、車の購入時から、放送エリア１１０に居住しており、日常的に車で出かける範囲も、放送エリア１１０内であるとする。
【０１００】
該ユーザは、初めて受信装置１の機能をオンしたときに、受信装置１からターゲット鍵供給システムにリクエストＲＥＱが送信される。このリクエストＲＥＱには、受信装置１の現在位置を示す情報が含まれている。
【０１０１】
このリクエストＲＥＱに応じて、ターゲット鍵供給システムから受信装置１に、放送エリア１１０及び放送エリア１２０、１４０に夫々対応する各放送局（放送局Ａ１、Ｂ、Ｃ、Ａ２、Ｄ、Ａ４、Ｆ）の最新のワーク鍵Ｋｗ（またはワーク鍵設定ＥＭＭ）が配信され、受信装置１は、それらのワーク鍵Ｋｗ（またはワーク鍵設定ＥＭＭ）を保持する。
【０１０２】
その後、放送局Ａ１、Ｂ、Ｃ、Ａ２、Ｄ、Ａ４、Ｆのいずれかの放送局のワーク鍵Ｋｗの更新が生じた度に、ターゲット鍵供給システムは、該放送局のワーク鍵Ｋｗ（またはワーク鍵設定ＥＭＭ）を受信装置１に配信する。
【０１０３】
なお、ターゲット鍵供給システムによる上記配信があったときに受信装置１がオンしていない場合において、受信装置１が次にオンしたときにリクエストＲＥＱをターゲット鍵供給システムに送信するため、このときに、受信装置１に保持される各放送局のワーク鍵Ｋｗ（またはワーク鍵設定ＥＭＭ）は、ターゲット鍵供給システムから配信されるこれらの放送局の最新のワーク鍵Ｋｗ（またはワーク鍵設定ＥＭＭ）に更新される。
【０１０４】
図８は、ユーザが車で放送エリア１１０から出たことが無い場合に、受信装置１に保持されたワーク鍵Ｋｗ（またはワーク鍵設定ＥＭＭ）関連の内容を示す。図示のように、受信装置１は、現在エリア（放送エリア１１０）と、現在エリアに隣接する各放送エリア（放送エリア１２０、１４０）とについて、リモコンキーＩＤ番号と、チャンネル番号と、受信可能な放送局と、更新番号と、ワーク鍵Ｋｗとを対応付けて保持している。
【０１０５】
ある日、該ユーザが、友人と共に、車で、放送エリア１３０までの旅行に出かけたとする。ルートは、放送エリア１１０、放送エリア１２０、放送エリア１３０の順である。
【０１０６】
＜放送エリア１１０に位置する間＞
車のエンジンがかかった後、助手席に座った友人が車載ナビゲーションシステムを操作し、デジタルテレビジョン放送の受信機能をオンにする。これに応じて、受信装置１がオンし、受信装置１からターゲット鍵供給システムにリクエストＲＥＱが送信される。このリクエストＲＥＱには、受信装置１の現在位置を示す情報が含まれている。
【０１０７】
そのため、図８に示す各放送局のワーク鍵Ｋｗ（またはワーク鍵設定ＥＭＭ）がターゲット鍵供給システムから配信され、受信装置１は、更新する必要のある放送局について、更新番号とワーク鍵Ｋｗを更新する。
【０１０８】
また、友人は、デジタルテレビジョン放送の受信機能をオンした後、リモコンキーＩＤ番号を「１」に合わせ、受信装置１としては物理チャンネル２１を選局して放送局Ａ１の放送を視聴しているとする。
【０１０９】
放送エリア１１０内において、放送局Ａ１を除いた、図８に示す各放送局のうちのいずれか１つがワーク鍵Ｋｗを更新した場合、更新後のワーク鍵Ｋｗ（またはワーク鍵設定ＥＭＭ）がターゲット鍵供給システムから受信装置１に配信され、受信装置１は、ターゲット鍵供給システムから配信された情報に基づいて、該放送局の保持中のワーク鍵Ｋｗと更新番号を更新する。
【０１１０】
放送局Ａ１がワーク鍵Ｋｗを更新した場合にも、更新後のワーク鍵Ｋｗ（またはワーク鍵設定ＥＭＭ）がターゲット鍵供給システムから受信装置１に配信されるが、受信装置１は、放送局Ａ１の放送信号を受信しているため、ターゲット鍵供給システムから配信された情報を受信する前に、放送局Ａ１のワーク鍵Ｋｗと更新番号を最新のものに変更した可能性がある。この場合、受信装置１は、ターゲット鍵供給システムから配信されたワーク鍵Ｋｗ（またはワーク鍵設定ＥＭＭ）を破棄する。
【０１１１】
＜放送エリア１２０に入ったとき＞
放送エリア１２０では、物理チャンネル２１が放送局Ｃに対応するため、放送エリア１２０に入ったときに、受信装置１が放送局Ｃのコンテンツを表示する。友人は、引き続き放送局Ａ１と同様のコンテンツを見るために、リモコンなどで操作してリモコンキーＩＤ番号１のチャンネルを選択することで、物理チャンネルを「３０」に変更する。
【０１１２】
図８に示すように、放送エリア１１０に位置していたときに既に放送局Ａ２の最新のワーク鍵Ｋｗが受信装置１に保持されているため、友人は、リモコン操作などで物理チャンネルを「３０」に合わせると、直ちに、放送局Ａ１と同様のコンテンツを放送する放送局Ａ２を視聴できるようになる。
【０１１３】
また、放送エリア１２０に入ったときに、受信装置１は、現在位置を含むリクエストＲＥＱを再びターゲット鍵供給システムに送信する。これに応じて、ターゲット鍵供給システムは、現在の放送エリア（１２０）と、隣接の各放送エリア（１１０、１３０、１４０）に夫々対応する各放送局の最新のワーク鍵Ｋｗ（またはワーク鍵設定ＥＭＭ）を受信装置１に配信する。これに応じて、受信装置１は、保持するワーク鍵Ｋｗ等を図９に示すように変更する。
【０１１４】
変更後も、放送局Ａ２の最新のワーク鍵Ｋｗが相変わらず受信装置１に保持されているため、友人は、引き続き、放送局Ａ２を視聴できる。
【０１１５】
＜放送エリア１２０に位置する間＞
この間、ターゲット鍵供給システムから受信装置１にワーク鍵Ｋｗなどを配信する放送局が異なる以外、受信装置１及びターゲット鍵供給システムは、受信装置１が放送エリア１１０に位置していたときと同様の動作をする。
【０１１６】
＜放送エリア１３０に入ったとき＞
放送エリア１３０では、物理チャンネル３０が放送局Ｅに対応するため、放送エリア１３０に入ったときに、受信装置１が放送局Ｅのコンテンツを表示する。友人は、初めて放送エリア１３０に来たため、放送局Ｅの放送が面白いと思い、そのままチャンネルを変えずに、放送局Ｅのコンテンツを視聴する。
【０１１７】
図９に示すように、放送エリア１２０にいたときに既に放送局Ｅの最新のワーク鍵Ｋｗが受信装置１に保持されているため、友人は、何もせずにして放送局Ｅを視聴できるようになる。
【０１１８】
また、このとき、受信装置１は、放送エリア１２０に入ったときと同様に、ターゲット鍵供給システムにリクエストＲＥＱを送信し、リクエストＲＥＱに応じてターゲット鍵供給システムから配信された情報に基づいて、保持中のワーク鍵Ｋｗ関連の情報を図１０に示すように変更する。
【０１１９】
変更後も、放送局Ｅの最新のワーク鍵Ｋｗが相変わらず受信装置１に保持されているため、友人は、引き続き、放送局Ｅを視聴できる。
【０１２０】
この例から分かるように、本第３の実施の形態も、第１及び第２の実施の形態と同様の効果を得ることができる。
【０１２１】
また、ターゲット鍵供給システムは、受信装置の現在位置に応じて各受信装置に配信する放送局を限定するため、通信ネットワークのトラフィックを軽減することができる。
【０１２２】
なお、本例では隣接エリアで同じ物理チャンネルが異なる放送局に割り当てられている例で説明したが、実際にはエリアを跨いだ際に視聴中の物理チャンネルと同じ物理チャンネルでの放送がなされていない場合があり、視聴が停止する場合もある。この場合でも、ユーザがリモコン操作によりリモコンキーＩＤを変更することで物理チャンネルを変更できるため、本例と同じ仕組みが適用できる。
【０１２３】
また、受信装置が各放送局と物理チャンネルとの対応関係を把握し、放送エリアが変わった際に自動的に物理チャンネルを変更することで視聴中のチャンネルの映像・音声を途切れさせないようにしてもよい。このような受信装置は、放送エリア毎に、リモコンキーＩＤと、受信可能な放送局（及びそれに対応する物理チャンネル）とを対応付けて記憶しており、現在に位置する放送エリアに応じて、選択されたリモコンキーＩＤに対応する物理チャンネルを選択するものである。例えば、図４に示す例の場合、放送エリア１１０に位置していたときに、リモコンキーＩＤが「１」を選択されていると、該受信装置は、受信対象の物理チャンネルとして「２１」を特定し、放送局Ａ１の放送波を受信する。リモコンキーＩＤが「１」を選択されたまま放送エリア１１０から放送エリア１２０に移動したときに、該受信装置は、受信対象の物理チャンネルを「３０」に変更する。
このような受信装置を備えた放送システムに対しても、ワーク鍵取得処理においては本例が適用できる。
【０１２４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【０１２５】
例えば、第１の実施の形態において、ターゲット鍵供給システム２００のターゲット鍵収集装置２１０は、全国各地の放送波からワーク鍵設定ＥＭＭを取得するようになっている。放送波ではなく、ネットワークを経由して、放送局からまたは地上放送ＲＭＰ管理センター（ＴＲＭＰ）からワーク鍵設定ＥＭＭまたはワーク鍵そのものを取得可能であれば、上記ネットワークを介して直接入手してもよい。この場合、全国各地の設備を省略することができる。
【０１２６】
また、例えば、第３の実施の形態において、ターゲット鍵供給システム５００は、受信装置の現地位置の属する放送エリアと、該放送エリアに隣接する各放送エリアに夫々対応する各放送局のワーク鍵Ｋｗ（またはワーク鍵Ｋｗ設定ＥＭＭ）を該受信装置に配信するようにしているが、受信装置の現地位置の属する放送エリアに隣接する各放送エリアに夫々対応する各放送局のワーク鍵Ｋｗ（またはワーク鍵Ｋｗ設定ＥＭＭ）のみを該受信装置に配信するようにしてもよい。この場合、通信ネットワークのトラフィックをより軽減することができる。
【０１２７】
なお、上述した各実施の形態は、ターゲット鍵がワーク鍵である場合の例である。これらの実施の形態のいずれも、ターゲット鍵がデバイス鍵とした場合に適用することができる。この際、上記各実施の形態に対する説明は、「ワーク鍵」を「デバイス鍵」に変更すれば、ターゲット鍵がデバイス鍵である場合の説明になる。但し、ターゲット鍵がデバイス鍵である場合には、鍵の更新は、更新番号ではなく、デバイスＩＤの世代番号に基づいて判定される。より具体的には、デバイス鍵設定ＥＭＭに格納されたデバイスＩＤの世代番号が０である場合に、該デバイス鍵設定ＥＭＭに格納されたデバイス鍵は、更新後の、すなわち最新のデバイス鍵である。
【０１２８】
勿論、ワーク鍵とデバイス鍵のいずれか一方のみを配信するとは限らず、ワーク鍵とデバイス鍵の両方ともターゲット鍵として配信するようにしてもよい。
【符号の説明】
【０１２９】
１〜９  受信装置
１００  複合システム
１１０〜１４０  放送エリア
１９０  通信ネットワーク
２００  ターゲット鍵供給システム
２１０  ターゲット鍵収集装置
２１１〜２１９  個別ターゲット鍵取得装置
２２１〜２２９  放送受信部
２３１〜２３９  ターゲット鍵抽出部
２５０  ターゲット鍵配信装置
３０２  放送信号受信部
３０４  ターゲット鍵保持部
３０６  コンテンツ復号部
３１０  ターゲット鍵リクエスト部
３２０  送受信部
４００  受信装置
４１０  ターゲット鍵保持部
４２０  ターゲット鍵報告部
５００  ターゲット鍵供給システム
５０２  送受信部
５１０  ターゲット鍵収集装置
Ｋｄ  デバイス鍵
Ｋｍ  マスタ鍵
Ｋｓ  スクランブル鍵
Ｋｗ  ワーク鍵
ＲＥＱ  リクエスト
【図１】
2014225738.tif 000003
【図２】
2014225738.tif 000004
【図３】
2014225738.tif 000005
【図４】
2014225738.tif 000006
【図５】
2014225738.tif 000007
【図６】
2014225738.tif 000008
【図７】
2014225738.tif 000009
【図８】
2014225738.tif 000010
【図９】
2014225738.tif 000011
【図１０】
2014225738.tif 000012